(57)【要約】【課題】  透明かつ曲面を有する部位を有効的に利用して、当該透明曲面部において各種情報の画像表示を行うことが可能となる容器を提供する。【解決手段】  少なくとも一部分に透明性の曲面を有する容器１であって、前記曲面に透明な表示装置２が設けられていること特徴とする。【選択図】  図１
2005099159.tif 000002
【特許請求の範囲】
【請求項１】
少なくとも一部分に透明性の曲面を有する容器であって、
前記曲面に透明な表示装置が設けられていることを特徴とする容器。
【請求項２】
前記表示装置は、可撓性を有していることを特徴とする請求項１に記載の容器。
【請求項３】
前記表示装置は、画像を表示する表示部と、当該表示部を制御する表示制御部を具備し、前記表示部と前記表示制御部は同一の基板上に設けられていることを特徴とする請求項１又は請求項２に記載の容器。
【請求項４】
前記表示装置は、前記曲面に対して着脱可能となっていることを特徴とする請求項１から請求項３のいずれかに記載の容器。
【請求項５】
前記表示装置は、非動作時に透明になることを特徴とする請求項１から請求項４のいずれかに記載の容器。
【請求項６】
前記表示装置は、非透明モード又は半透明モードで画像表示を行うことを特徴とする請求項１から請求項４のいずれかに記載の容器。
【請求項７】
音響／音声出力を行うスピーカを更に具備することを特徴とする請求項１に記載の容器。
【請求項８】
センサと、当該センサの検知に応じて前記表示装置の動作を制御する動作制御部とを更に備えることを特徴とする請求項１に記載の容器。
【発明の詳細な説明】
【技術分野】
【０００１】
本発明は、容器に関する。
【背景技術】
【０００２】
近年、ショーケース等の容器においては、ショーケースの内部に陳列された商品を展示すると共に、商品に関する広告情報を表示する透明パネル（ディスプレイ）を備える表示機能付きショーケースが提案されている（例えば、特許文献１参照。）。
【特許文献１】特開２００３−１２５９０４号公報
【発明の開示】
【発明が解決しようとする課題】
【０００３】
ところが、上記の先行技術は、ショーケースの透明平面部（ガラス等）に透明パネルを設けた構成であるため、例えば、曲面ガラス等に透明パネルを設けるというように、透明曲面部の有効利用を図る技術ではなかった。
【０００４】
本発明は、上述の課題に鑑み創案されたもので、透明かつ曲面を有する部位を有効的に利用して、当該透明曲面部において各種情報の画像表示を行うことが可能となる容器を提供する。
【課題を解決するための手段】
【０００５】
上記の目的を達成するために、本発明は以下の構成を採用した。
本発明の容器は、少なくとも一部分に透明性の曲面を有する容器であって、前記曲面に透明な表示装置が設けられていることを特徴としている。
ここで、容器とは、後述するようにグラス、ショーケース、窓、パーテーション等が挙げられ、単に液体や商品等を収容する器としての機能だけでなく、外環境と内環境とを仕切る機能や、観察者と被観察物とを仕切る機能を有するものである。
また、曲面とは、曲率を有した面であり、球面等の３次元的な曲面としての意味を含むものである。
【０００６】
このようにすれば、上記先行技術と比較して、平面部のみに表示装置を設けるのではなく、透明性の曲面に表示装置を設けることにより、当該透明性曲面部の有効利用を達成できると共に、各種情報の画像表示を行うことができる。
更に、様々な形態の容器において、その曲面に透明な表示装置が設けられているので、観察者は容易に各種情報の表示画像を得ることができる。
【０００７】
また、前記容器においては、前記表示装置は可撓性を有していることが好ましい。
このようにすれば、曲面部の曲率に応じて表示装置を曲げることによって、容器の曲面形状に応じて表示装置を配置させることができる。また、容器に表示装置を実装する工程においては、表示装置を好適に曲げて実装できるので、工程が容易になる。
【０００８】
また、前記容器においては、前記表示装置は画像を表示する表示部と当該表示部を制御する表示制御部を具備し、前記表示部と前記表示制御部は同一の基板上に設けられていることが好ましい。
ここで、表示制御部とは、ドライバＩＣ等の集積回路、当該ドライバＩＣと表示部とを結線する回路部を意味する。
また、このような表示部と表示制御部は、公知のフォトリソグラフィ技術によって同一の基板上に設けられたものであって、このような表示装置は所謂システムオンパネルである。
このようにすれば、表示部と表示制御部とが同一の基板に形成されているので、表示部と表示制御部とをワイヤボンディング等で結線する必要がなく、製造工程の簡略化を図ることができる。従って、表示装置と容器との実装工程が容易になる。
【０００９】
また、前記容器においては、前記表示装置は前記曲面に対して着脱可能となっていることが好ましい。
このようにすれば、一つの表示装置を一つの容器に実装するだけでなく、当該表示装置を容器から取り外して他の容器にも取り付けられるので、表示装置を汎用的に利用することができる。
【００１０】
また、前記容器においては、前記表示装置は非動作時に透明になることが好ましい。
このようにすれば、表示装置の不使用時、即ち、電源がＯＦＦの状態になっている場合に、表示装置が透明になるので、透明容器として用いることができる。
【００１１】
また、前記容器においては、前記表示装置は非透明モード又は半透明モードで画像表示を行うことが好ましい。
ここで、非透明モードとは、観察者側から見て表示装置の裏側にあるものが全く見えずに、表示装置における表示画像のみが見える状態となっていることを意味する。
また、半透明モードとは、前記表示装置の裏側にあるものと、表示装置における表示画像とが重なって共に見える状態となっていることを意味する。
従って、表示装置が半透明モードであり、例えば、容器がグラスである場合には、グラスに注がれた液体と表示画像とが共に見える状態となる。
また、表示装置が半透明モードであり、例えば、容器がショーケースである場合には、ショーケース内の商品と表示画像とが共に見える状態となる。
【００１２】
また、前記容器においては、音響／音声出力を行うスピーカを更に具備することが好ましい。
このようにすれば、上述したような表示画像だけでなく、音響や音声を発する容器となるので、音響や音声による情報を観察者に提供することができる。
【００１３】
また、前記容器においては、センサと当該センサの検知に応じて前記表示装置の動作を制御する動作制御部とを更に備えることが好ましい。
このようにすれば、観察者側から見て表示装置の裏側にあるものが変化した場合に、センサが当該変化を検知し、動作制御部が表示装置の動作を制御し、当該表示装置が各種情報を表示する。即ち、センサの変化に応じて自動的に表示装置を動作させることができる。
ここで、例えば、容器に液量センサが設けられている場合には、容器内の液量が変化した場合には、液量センサが検知し、当該検知結果に応じて動作制御部が表示装置を動作させる。即ち、液量に応じて表示装置を自動的に動作させることができる。
【発明を実施するための最良の形態】
【００１４】
以下、本発明の実施形態につき、図面を参照して説明する。
なお、以下の説明に用いる各図面では、各部材を認識可能な大きさとするため、各部材の縮尺を適宜変更している。
【００１５】
（容器の第１実施形態）
図１は、本発明の容器の第１実施形態として示したグラスを示す斜視図である。
図１に示すように、グラス１は、グラス本体１ａと、透明ディスプレイ（表示装置）２と、薄膜スピーカ３と、液量センサ４と、電源スイッチ５と、表示切り替えスイッチ６と、電池７とを備えた構成となっている。
【００１６】
ここで、透明ディスプレイ２は、可撓性を有する表示装置であって、所謂フレキシブルディスプレイであり、そして、本発明の特徴点となっているように、グラスの曲面に設けられている。また、当該透明ディスプレイ２としては、Ｒ（赤色）、Ｇ（緑色）Ｂ（青色）の各色を諧調させて表示させる公知の表示装置が採用され、液晶装置や有機エレクトロルミネッセンス（以下、有機ＥＬと称する）装置が採用される。
有機ＥＬ装置においては、有機ＥＬ素子が非発光状態では透明になるので、本発明のように透明性な表示装置を実現するには適している。また、液晶装置においては、自然光を光源として画像表示を行うものや、白色の有機ＥＬ発光素子をバックライトとして画像表示を行うものが挙げられる。有機ＥＬ発光素子をバックライトに用いることで、有機ＥＬ素子が非発光状態では液晶装置が透明となるので、透明性な表示装置を実現するには適している。
【００１７】
また、当該透明ディスプレイ２は、グラス本体１ａからの着脱が可能となっており、他のグラス本体に汎用的に利用されるようになっている。着脱する方法としては、グラス本体１ａと透明ディスプレイ２との間に粘着剤を介して固定する方法や、ネジ等の締結部材等を用いて固定する方法等が挙げられる。
【００１８】
このような透明ディスプレイ２の基体となるフレキシブル基板上には、当該透明ディスプレイ２の駆動を制御する表示制御部２ａが同一に形成されており、所謂システムオンパネルを構成している。なお、表示制御部２ａとは、ドライバＩＣや、当該ドライバＩＣと表示部とを結線する回路部、電源部、メモリ等の記憶回路、アンテナ等が形成された集積回路である。このような透明ディスプレイ２における表示領域（表示部）と表示制御部２ａは、公知のフォトリソグラフィ技術によって形成されている。
【００１９】
また、薄膜スピーカ３は、上記透明ディスプレイの画像表示に応じて、音響／音声出力を行うものである。薄膜スピーカ３は、公知の圧電性フィルム等を振動板から構成されている。更に、薄膜スピーカ３には、当該薄膜スピーカ３の音響／音声出力を制御する音声制御部３ａが接続されている。
【００２０】
また、液量センサ４には、当該液量センサ４の検知結果に応じて透明ディスプレイ２を動作させる動作制御部４ａが接続されている。そして、グラス内の液量が変化した場合に、液量センサ４がそれを検知し、当該検知結果に応じて動作制御部４ａが透明ディスプレイを自動的に動作させるようになっている。
【００２１】
また、電源スイッチ５は、グラス１の電源のＯＮ／ＯＦＦを行うものである。表示切り替えスイッチ６は、後述するように透明ディスプレイ２の表示状態の設定を変更するためのものである。電池７は、グラス１の電源である。
【００２２】
次に、このようなグラス１の動作について、図２〜図４を参照して説明する。
図２は透明ディスプレイ２の非動作状態を示した図であり、図３は透明ディスプレイ２の半透明モード状態を示した図であり、図４は透明ディスプレイ２の非透明モード状態を示した図である。
【００２３】
図２に示すように、透明ディスプレイ２の非動作状態（電源ＯＦＦ）となっている状態では、透明ディスプレイ２が透明になるので、グラス１に収容された液体１０が見えるようなる。
また、図３に示すように、半透明モードの状態では、透明ディスプレイ２のよる画像表示と、グラス１に収容された液体１０とが重なって見えるようなる。
また、図４に示すように、非透明モードの状態では、透明ディスプレイ２のよる画像表示のみが見えるようなる。
【００２４】
このように変化する透明ディスプレイ２の表示モードは、観察者が表示切り替えスイッチ６を切り替えることによって、容易に操作可能となっている。なお、液量センサ４の検知結果に応じて透明ディスプレイ２の表示モードが自動的に変化するようにしてもよい。
【００２５】
上述したように、本実施形態においては、グラス１の曲面に透明ディスプレイ２を設けたことにより、当該透明性曲面部の有効利用を達成できると共に、各種情報の画像表示を行うことができる。従って、観察者は容易に各種情報の表示画像を得ることができる。
【００２６】
また、透明ディスプレイ２は可撓性を有しているので、グラス１の曲面部の曲率に応じて透明ディスプレイ２を曲げることによって、グラス１の曲面形状に応じて透明ディスプレイ２を配置させることができる。また、グラス１に透明ディスプレイ２を実装する工程においては、透明ディスプレイ２を好適に曲げて実装できるので、工程が容易になる。
【００２７】
また、透明ディスプレイ２と表示制御部２ａとがシステムオンパネルによって形成されているので、両者間をワイヤボンディング等で結線する必要がなく、製造工程の簡略化を図ることができる。従って、表示装置と容器との実装工程が容易になる。
【００２８】
また、透明ディスプレイ２はグラス本体１ａに対して着脱可能であるので、透明ディスプレイ２を他のグラスに対しても汎用的に利用することができる。
【００２９】
また、透明ディスプレイ２は、非動作時おいては透明になり、また、非透明モード又は半透明モードに切り替えて画像を表示することができるので、グラス１内の液体のみが見える状態、又はグラス１内の液体と表示画像とを共に見える状態、又は表示画像のみが見える状態、のそれぞれの状態で見ることができる。
また、薄膜スピーカ３を備えるので、画像情報だけでなく、音響や音声の出力を行うことができる。
また、液量センサ４を備えるので、液量センサ４の検知結果に応じて透明ディスプレイ２の動作を自動的に行うことができる。
【００３０】
なお、上述においては、容器としてグラスを例示して説明したが、本発明はグラスに限定するものではない。
容器の他の形態としては、例えば、室内パーテーション、窓、ショーケース、水槽、自動車のフロントガラス等が挙げられ、単に液体や商品等を収容する器としての機能だけでなく、外環境と内環境とを仕切る機能や、観察者と被観察物とを仕切る機能を有するものである。
以下に、他の容器の実施形態について説明する。
【００３１】
以下に説明する実施形態と上記第１実施形態とにおいては、透明性の曲面を有する容器のみが異なっている。従って、異なる部分についてのみ説明し、第１実施形態の同一構成についての詳細な説明を簡略化する。
【００３２】
（容器の第２実施形態）
図５は、本発明の容器の第２実施形態として示した室内パーテーションを示す斜視図である。
図５に示すように室内パーテーション２０は、曲面ガラス２０ａと、透明ディスプレイ２を備えた構成となっている。
このような曲面ガラス２０ａに設けられた透明ディスプレイ２は、テレビモニタとして機能するようになっている。また、テレビモニタ以外にも、室内のインテリアとして絵画等を表示するようになっている。また、時計として機能するようになっている。また、カレンダーとして機能するようになっている。また、透明ディスプレイ２はカレンダーの月や季節に応じて絵画の種類を自動的に変化させることができる。
【００３３】
（容器の第３実施形態）
図６は、本発明の容器の第３実施形態として示した天窓を示す斜視図である。
図６に示すように天窓３０は、室内の天井に設けられた曲面ガラス３０ａと、透明ディスプレイ２を備えた構成となっている。
このような曲面ガラス３０ａに設けられた透明ディスプレイ２は、室内のインテリアとしてステンドガラスの模様を表示するようになっている。また、ステンドガラスの模様の画像表示以外にも、室内の壁の模様に応じた表示をするようになっている。更に、温度センサを室内に設けることで、当該温度センサの検知結果に応じて、透明ディスプレイ２の表示を自動的に変化させることができる。また、夜間には、透明ディスプレイ２の非透明モードが動作して、室内照明として機能するようになっている。
【００３４】
（容器の第４実施形態）
図７は、本発明の容器の第４実施形態として示したショーケースを示す斜視図である。
図７に示すようにショーケース４０は、曲面ガラス４０ａと、透明ディスプレイ２を備えた構成となっている。
このような曲面ガラス２０ａに設けられた透明ディスプレイ２は、商品広告等の情報を表示するようになっている。
【００３５】
（容器の第５実施形態）
図８は、本発明の容器の第５実施形態として示した水槽を示す斜視図である。
この水槽は、水族館において用いられるものである。
図８に示すように水槽５０は、曲面ガラス５０ａと、透明ディスプレイ２を備えた構成となっている。
このような曲面ガラス５０ａに設けられた透明ディスプレイ２は、水族館の魚に関する情報や、水族館の館内情報を表示するようになっている。更に、魚を検知するセンサを水槽５０内に設けることで、当該センサの検知結果に応じて、透明ディスプレイ２の表示を自動的に変化させることができる。
【００３６】
（容器の第６実施形態）
図９は、本発明の容器の第６実施形態として示したフロントガラスを示す斜視図である。
このフロントガラスは、自動車において用いられるものである。
図９に示すようにフロントガラス６０は、曲面ガラス６０ａと、透明ディスプレイ２を備えた構成となっている。
このような曲面ガラス６０ａに設けられた透明ディスプレイ２は、速度表示や時計等の表示器として機能するようになっており、運転者に対して情報を提供するものである。
【図面の簡単な説明】
【００３７】
【図１】本発明の第１実施形態の容器を示す斜視図。
【図２】本発明の第１実施形態の容器の動作を説明するための説明図。
【図３】本発明の第１実施形態の容器の動作を説明するための説明図。
【図４】本発明の第１実施形態の容器の動作を説明するための説明図。
【図５】本発明の第２実施形態の容器を示す斜視図。
【図６】本発明の第３実施形態の容器を示す斜視図。
【図７】本発明の第４実施形態の容器を示す斜視図。
【図８】本発明の第５実施形態の容器を示す斜視図。
【図９】本発明の第６実施形態の容器を示す斜視図。
【符号の説明】
【００３８】
１…グラス（容器）
２…透明ディスプレイ（表示装置）
２ａ…表示制御部
３…薄膜スピーカ
４…センサ
４ａ…動作制御部
２０…室内パーテーション（容器）
３０…天窓（容器）
４０…ショーケース（容器）
５０…水槽（容器）
６０…フロントガラス（容器）
【図１】
2005099159.tif 000003
【図２】
2005099159.tif 000004
【図３】
2005099159.tif 000005
【図４】
2005099159.tif 000006
【図５】
2005099159.tif 000007
【図６】
2005099159.tif 000008
【図７】
2005099159.tif 000009
【図８】
2005099159.tif 000010
【図９】
2005099159.tif 000011